(57)【要約】【課題】木チップや貝殻等の疎水材を多量に、かつ円滑に排水用暗渠部に充填できるようにした排水用暗渠形成装置を提供すること。【解決手段】圃場を走行可能な作業車２に、疎水材である木チップを収容するホッパ１０を搭載すると共に、作業車２の後部側に排水用暗渠（排水用暗渠孔、木チップ供給溝）を掘削する掘削具４０を具備し、作業車２の走行により掘削具４０を水平方向に牽引して圃場中に排水用暗渠４を形成すると共に、この排水用暗渠４内にホッパ１０内から供給される木チップを充填する排水用暗渠形成装置において、ホッパ１０から木チップを排出するコンベア２０と、コンベア２０によって排出された木チップを集約して掘削具４０によって形成された排水用暗渠４に木チップを供給する補助ホッパ３０とを具備し、コンベア２０に、該コンベア２０によって搬送される木チップの過度の排出量を抑制する調節部５０を設ける。【選択図】  図１
2004244803.tif 000002
【特許請求の範囲】
【請求項１】
圃場を走行可能な走行機体に、疎水材を収容するホッパを搭載すると共に、走行機体の後部側に排水用暗渠孔及び該暗渠孔に連なる疎水材供給溝を掘削する掘削具を具備し、上記走行機体の走行により上記掘削具を水平方向に牽引して上記圃場中に排水用暗渠を形成すると共に、この排水用暗渠内に上記ホッパ内から供給される上記疎水材を充填する排水用暗渠形成装置であって、
上記ホッパから疎水材を排出するコンベアと、
上記コンベアによって排出された上記疎水材を集約して上記掘削具によって掘削された上記疎水材供給溝及び排水用暗渠孔に疎水材を供給する補助ホッパとを具備し、
上記コンベアに、該コンベアによって搬送される疎水材の過度の排出量を抑制する調節部を設けることを特徴とする排水用暗渠形成装置。
【請求項２】
請求項１記載の排水用暗渠形成装置において、
上記補助ホッパ内に、疎水材の排出方向と反対方向に移動して疎水材を攪拌するパドルを更に具備することを特徴とする排水用暗渠形成装置。
【請求項３】
請求項１又は２記載の排水用暗渠形成装置において、
上記調節部は、コンベアの上方に位置してコンベア上面との間に疎水材の通過隙間を形成する排出量調節部材を具備してなることを特徴とする排水用暗渠形成装置。
【請求項４】
請求項１又は２記載の排水用暗渠形成装置において、
上記調節部は、コンベアの上方に位置してコンベア上面との間に疎水材の通過隙間を形成する排出量調節部材と、上記コンベアの排出部に設けられ、上記排出量調節部材を通過した疎水材を下方の補助ホッパ側へ案内する屈曲垂下案内片とを具備してなることを特徴とする排水用暗渠形成装置。
【請求項５】
請求項１ないし４のいずれかに記載の排水用暗渠形成装置において、
上記補助ホッパ内に、該補助ホッパ内に集約される疎水材の集約量を検知する検出手段を配設し、この検出手段によって検出された検出信号に基づいてコンベアの駆動を制御可能に形成してなることを特徴とする排水用暗渠形成装置。
【発明の詳細な説明】
【０００１】
【発明の属する技術分野】
この発明は、排水用暗渠形成装置に関するもので、更に詳細には、圃場中に水はけ用の排水用暗渠を形成すると共に、暗渠内に例えば木チップや貝殻等の疎水材を充填する排水用暗渠形成装置に関するものである。
【０００２】
【従来の技術】
従来、この種の排水用暗渠形成装置として、圃場を走行可能なトラクタやブルドーザ等の走行機体にヒッチ機構を介して装着される作業機に、疎水材を収容するホッパと、圃場中に排水用暗渠｛具体的には、排水用暗渠孔及び該暗渠孔に連なる疎水材供給溝｝を掘削する掘削具とを具備する排水用暗渠形成装置が知られている。
【０００３】
この種の排水用暗渠形成装置には、例えば、トラクタの後部にヒッチ機構を介して装着される作業機を構成する作業機フレームに搭載されていて籾殻などの疎水材を収容するタンクを備えていて、このタンクの底部近くに上下２段配置された疎水材の供給促進手段である攪拌翼軸と、これらの攪拌軸の直下に開放されている前後方向に長い供給口とをもち、この供給口が２枚一対の透水材導入板で形成される充填空間に籾殻などの疎水材を連続的に供給することができ、その供給深さを圃場の環境に合わせて選択調整することができるように構成した作業機が知られている（例えば、特許文献１参照）。
【０００４】
また、別の排水用暗渠形成装置としては、垂直状態に保持された土切りシャンク（掘削具）と、土切りシャンクの下端に設けられた砲弾状の暗渠穿孔具をブルドーザで水平方向に牽引して圃場に排水用暗渠を形成すると共に、気体流発生器および土切りシャンクなどに設けられた搬送路を経由してホッパから送給される籾殻（疎水材）を排水用暗渠内に充填する構造のものがある（例えば、特許文献２参照）。
【０００５】
【特許文献１】
特開２００２−１４２５０２（特許請求の範囲、段落番号０００４，０００５〜００１１、図１）
【０００６】
【特許文献２】
特開２００２−１６７７４３（特許請求の範囲、段落番号０００８，０００９，００１７〜００１９、図１）
【０００７】
【発明が解決しようとする課題】
しかしながら、従来のこの種の排水用暗渠形成装置は、いずれもトラクタやブルドーザ等の走行機体にヒッチ機構を介して装着される構造であるためホッパの容量に限度があり、そのため多量の疎水材を排水用暗渠に充填することができないという問題があった。特に、籾殻に比べて比較的大粒の木チップや貝殻等の疎水材を充填する場合には、ホッパの容量を大型にしなければならないという問題がある。
【０００８】
また、前者すなわち特開２００２−１４２５０２に記載のものにおいては、ホッパ内の疎水材を自然流下によって暗渠部に供給するため、大粒の木チップや貝殻等の疎水材に適用した場合はホッパの下部にいわゆるブリッジ現象が生じて疎水材が円滑に供給されないという問題がある。これに対して、後者すなわち特開２００２−１６７７４３に記載の技術によれば、気体流発生器から供給される高圧気体の気体流によって疎水材を供給することができるので、前者に比べて疎水材の供給を円滑にすることができるが、これにおいても、大粒の木チップや貝殻等の比重の大きい疎水材は円滑に供給することができないという問題がある。
【０００９】
この発明は上記事情に鑑みてなされたもので、比較的大粒の比重の大きい木チップや貝殻等の疎水材を多量に、かつ円滑に暗渠部に充填できるようにした排水用暗渠形成装置を提供することを目的とするものである。
【００１０】
【課題を解決するための手段】
上記目的を達成するために、請求項１記載の発明は、圃場を走行可能な走行機体に、疎水材を収容するホッパを搭載すると共に、走行機体の後部側に排水用暗渠孔及び該暗渠孔に連なる疎水材供給溝を掘削する掘削具を具備し、上記走行機体の走行により上記掘削具を水平方向に牽引して上記圃場中に排水用暗渠を形成すると共に、この排水用暗渠内に上記ホッパ内から供給される上記疎水材を充填する排水用暗渠形成装置であって、  上記ホッパから疎水材を排出するコンベアと、  上記コンベアによって排出された上記疎水材を集約して上記掘削具によって掘削された上記疎水材供給溝及び排水用暗渠孔に疎水材を供給する補助ホッパとを具備し、  上記コンベアに、該コンベアによって搬送される疎水材の過度の排出量を抑制する調節部を設けることを特徴とする。
【００１１】
このように構成することにより、ホッパ内に収容された疎水材をコンベアによって排出して補助ホッパに集約する過程において、調節部によりコンベアによって搬送される疎水材の過度の排出量を抑制すなわち排出量を調節して、補助ホッパ内に集約して搬送することができ、補助ホッパから疎水材供給溝及び排水用暗渠孔内に連続して疎水材を供給することができる。
【００１２】
請求項２記載の発明は、請求項１記載の排水用暗渠形成装置において、上記補助ホッパ内に、疎水材の排出方向と反対方向に移動して疎水材を攪拌するパドルを更に具備することを特徴とする。
【００１３】
このように構成することにより、補助ホッパ内の疎水材が密に接し合うブリッジ現象を確実に防止することができるので、更に疎水材の充填を確実にすることができる。
【００１４】
請求項３記載の発明は、請求項１又は２記載の排水用暗渠形成装置において、上記調節部は、コンベアの上方に位置してコンベア上面との間に疎水材の通過隙間を形成する排出量調節部材を具備することを特徴とする。この場合、調節部は、上記コンベアの排出部に設けられ、上記排出量調節部材を通過した疎水材を下方の補助ホッパ側へ案内する屈曲垂下案内片を更に具備する方が好ましい（請求項４）。
【００１５】
このように構成することにより、コンベアにて排出される疎水材の排出量を排出量調節部材により調節することができる。また、屈曲垂下案内片により排出流を整流して補助ホッパに集約させることができる（請求項４）。
【００１６】
また、請求項５記載の発明は、請求項１ないし４のいずれかに記載の排水用暗渠形成装置において、上記補助ホッパ内に、該補助ホッパ内に集約される疎水材の集約量を検知する検出手段を配設し、この検出手段によって検出された検出信号に基づいてコンベアの駆動を制御可能に形成してなることを特徴とする。
【００１７】
このように構成することにより、補助ホッパ内に集約される疎水材の量に応じてコンベアの駆動を制御することができるので、例えば補助ホッパ内に疎水材が過剰に集約（収容）された場合は、検出手段によって検出し、その検出信号をコンベアの駆動部に伝達してコンベアの駆動を停止することで、補助ホッパ内の疎水材の集約量を適正な状態に維持することができる。
【００１８】
【発明の実施の形態】
以下に、この発明の排水用暗渠形成装置の実施形態について、添付図面に基づいて詳細に説明する。
【００１９】
◎第一実施形態
図１は、この発明に係る排水用暗渠形成装置の第一実施形態の一部を断面で示す概略側面図、図２は、排水用暗渠形成装置の概略平面図、図３は、排水用暗渠形成装置の概略背面図（ａ）及び排水用暗渠の拡大断面図（ｂ）である。
【００２０】
上記排水用暗渠形成装置は、圃場Ｈを走行可能な走行機体であるクローラ１を有する暗渠形成作業車２（以下に作業車２という）と、この作業車２のシャシ３に搭載されるホッパ１０と、このホッパ１０の下部排出口１１の下方から作業車２の後部上方側に配設されて、ホッパ１０内の疎水材例えば木チップＴを排出するコンベア２０と、作業車２の後部に装着されて、コンベア２０から排出される木チップＴを集約する補助ホッパ３０と、作業車２の後部に装着されて、排水用暗渠４｛具体的には、排水用暗渠孔４ａ及び該暗渠孔４ａに連なる疎水材供給溝４ｂ｝を掘削する掘削具４０とで主要部が構成されている。
【００２１】
また、排水用暗渠形成装置は、コンベア２０の排出部に木チップＴの過度の排出量を抑制して調節する調節部５０と、補助ホッパ３０の排出部に集約された木チップＴが密に接し合うブリッジ現象を防止するためのパドル６０と、補助ホッパ３０の下部に垂下されて、排水用暗渠４｛排水用暗渠孔４ａ、疎水材供給溝４ｂ｝内に充填される木チップＴの層の厚さを調整する層調整板７０とを具備している。
【００２２】
この場合、上記ホッパ１０は、作業車２のシャシ３の略全域に開口する開口部１２を有すると共に、下部の排出口１１は作業車２の前方から後方に向かって上り勾配を有する矩形状に形成されている。そして、ホッパ１０の下部排出口１１の直下にはコンベア２０が配設されている。
【００２３】
上記コンベア２０は、ホッパ１０の下部排出口１１の下方に配設される従動ローラ２１と、作業車２の後部上方側に配設される駆動ローラ２２とに掛け渡される無端ベルト２３と、この無端ベルト２３の表面に適宜間隔をおいて配置される角棒状の搬送支援部材２４とで構成されている。なお、駆動ローラ２２の回転軸２５には駆動モータ２６が連結されている。
【００２４】
上記コンベア２０の排出部側に配設される調節部５０は、図４に示すように、コンベア２０の上方に位置してコンベア上面すなわち無端ベルト２３の上面との間に木チップＴの通過隙間Ｓを形成する略Ｖ字状に折曲する例えば鋼製の排出量調節部材５１と、コンベア２０の排出部に設けられ、排出量調節部材５１を通過した木チップＴの排出流を整流するようにして下方の補助ホッパ３０側へ案内する例えば合成ゴム製の屈曲垂下案内片５２とで構成されている。なお、排出量調節部材５１の前方側すなわち木チップＴの排出上流側には、バッファ部材５３がヒンジ５４を介して垂直方向に揺動自在に枢着されている（図４参照）。このバッファ部材５３によって排出量調節部材５１によって規制された木チップＴの滞留が一時受け止められるようになっている。
【００２５】
このように、調節部５０を、コンベア上面（無端ベルト２３の上面）との間に木チップＴの通過隙間Ｓを形成する略Ｖ字状に折曲する排出量調節部材５１と、排出量調節部材５１を通過した木チップＴを下方の補助ホッパ３０側へ案内する屈曲垂下案内片５２とで構成することにより、ホッパ１０内からコンベア２０によって排出される木チップＴは、排出量調節部材５１を通過する際に通過隙間Ｓによって規制されて排出部側に搬送されるので、過度の排出量が抑制され、また、排出量調節部材５１を通過した木チップＴは、更に、屈曲垂下案内片５２によって排出流が整流されることにより更に過度の排出量が抑制されて下方の補助ホッパ３０側に排出される。すなわち、木チップＴの排出量はコンベア２０の速度によって決まるが、コンベア速度に関係なく排出量が増減する｛一塊になった木チップＴの山が崩れると多くなりその後少なくなる｝のを防ぐために、屈曲垂下案内片５２を用いて均して、下方の補助ホッパ３０側に排出している。したがって、コンベア２０にて排出される木チップＴの排出量を排出量調節部材により調節すると共に、屈曲垂下案内片により排出流を整流して補助ホッパ３０に集約させることができる。
【００２６】
上記補助ホッパ３０は、コンベア２０の排出部の直下位置に、蛇腹状導出筒３１を介して配設されている。この場合、補助ホッパ３０は作業車２の後端部に突設されるブラケット３２を介して作業車２に装着されている。また、補助ホッパ３０は、図３及び図６に示すように、下方に向かって狭小のテーパ状に形成されており、排出口３３は、後述する掘削具４０の土切りシャンク４１によって掘削された供給溝とほぼ等しい幅の矩形状に形成されている。
【００２７】
また、補助ホッパ３０内には、木チップＴの排出方向と反対方向に移動（回動）するパドル６０が配設されている。この場合、パドル６０は、図示しないモータによって駆動される回転軸６１と、回転軸６１の周方向の３箇所から突設される攪拌用の屈曲棒６２とで構成されている。なお、この場合、屈曲棒６２は、回転軸６１に一端が固着される略へ字状に形成されている。
【００２８】
このように、補助ホッパ３０内に、木チップＴの排出方向と反対方向に移動（回動）するパドル６０を配設することにより、補助ホッパ３０内に集約される木チップＴを攪拌して木チップＴ同士が密に接し合って生じるブリッジ現象を確実に防止することができ、木チップＴの排出を円滑にすることができる。特に、コンベア速度を速くした場合、補助ホッパ３０内に集約される木チップＴが詰まり始めたとき、パドル６０が作動して木チップＴの詰まりを解除して排出を円滑にするので好適である。
【００２９】
また、図６に二点鎖線で示すように、補助ホッパ３０内に、排出口３３に向かって圧縮空気を噴射する空気ノズル６５を配設し、この空気ノズル６５を供給管６６を介してコンプレッサ（図示せず）に接続する方が好ましい。このように、補助ホッパ３０内に、排出口３３に向かって圧縮空気を噴射する空気ノズル６５を配設することにより、補助ホッパ３０内に集約された木チップＴを空気ノズル６５から噴射された空気流によって円滑に排水用暗渠４内に供給することができる。
【００３０】
また、補助ホッパ３０内には、補助ホッパ３０内に集約された木チップＴの過度の集約量（供給量）を検知する検出手段であるセンサ９０が配設されている。このセンサ９０によって検出された検出信号は、コンベア２０の駆動モータ２６の駆動を制御するコントローラ１００に接続されており、センサ９０によって検知された検出信号に基づいてコンベア２０の駆動モータ２６が制御されるようになっている。
【００３１】
このように構成することにより、補助ホッパ３０内に集約される木チップＴの量に応じてコンベア２０の駆動を制御することができるので、例えば補助ホッパ３０内に木チップＴが過剰に集約（収容）された場合は、センサによって検知し、その検出信号をコンベア２０の駆動モータ２６に伝達してコンベア２０の駆動を停止することで、補助ホッパ３０内の木チップＴの集約量を適正な状態に維持することができる。
【００３２】
一方、上記掘削具４０は、作業車２の後端部に突設されたブラケット３２に取り付けられる疎水材供給溝４ｂ（以下に、木チップ供給溝４ｂという）を掘削する一対の板部材からなる土切りシャンク４１と、土切りシャンク４１の下端部に連結される砲弾状の暗渠穿孔体４２とで主に構成されている。なお、暗渠穿孔体４２の後端部には、吸水管取付部４３が突設されており、必要に応じて吸水管取付部４３に吸水管を取り付けて、暗渠内に吸水管を配管できるようになっている。この掘削具４０は、補助ホッパ３０の排出口３３の前方側下部に設けられている。
【００３３】
なお、補助ホッパ３０における排出口の後方側には、補助ホッパ３０の排出口３３から排水用暗渠内に供給（充填）される木チップＴの充填層の厚さを調整する層調整板７０が垂下されている。この場合、層調整板７０は、土切りシャンク４１によって掘削された木チップ供給溝４ｂより幅の狭い矩形状を有する例えばばね鋼製部材にて形成されている。
【００３４】
上記のように構成される掘削具４０を作業車２に装着して、作業車２を圃場Ｈ上を走行させると、掘削具４０が水平方向に牽引されて、暗渠穿孔体４２によって排水用暗渠孔４ａが掘削されると共に、土切りシャンク４１によって排水用暗渠孔４ａに連なる木チップ供給溝４ｂが掘削される。そして、補助ホッパ３０内に集約されている木チップＴが排出口３３から排水用暗渠４すなわち木チップ供給溝４ｂ及び排水用暗渠孔４ａ内に供給（充填）され、走行方向の後方に位置する層調整板７０によって木チップＴの充填層の厚さが一定に調整される（図１及び図３（ｂ）参照）。
【００３５】
上記のように構成される排水用暗渠形成装置によれば、ホッパ１０内に収容される木チップＴは、コンベア２０によって排出される際に、調節部５０によってコンベア２０にて排出される木チップＴの排出量が調節されると共に、排出流が整流されて補助ホッパ３０内に落下して集約される。補助ホッパ３０内に集約された木チップＴは、木チップＴの排出方向と反対方向に移動（回動）するパドル６０によって攪拌されることによってブリッジが形成される前に排出口３３から排水用暗渠すなわち木チップ供給溝４ｂ及び排水用暗渠孔４ａ内に供給（充填）され、層調整板７０によって木チップＴの充填層が所定の厚さに調整される。
【００３６】
補助ホッパ３０内に集約される木チップＴの集約量が所定量以上に達すると、センサ９０が検知して、その検出信号がコントローラ１００に伝達されてコンベア２０の駆動モータ２６が停止する。これにより、コンベア２０による排出が停止すると共に、補助ホッパ３０内への木チップＴの供給が停止される。また、補助ホッパ３０内の木チップＴの集約量が所定量以下になった場合は、センサ９０からの検出信号がコントローラ１００に伝達されて、駆動モータ２６が再び駆動してコンベア２０によってホッパ１０内の木チップＴが排出され、補助ホッパ３０内に排出（集約）される。したがって、補助ホッパ３０内の木チップＴの集約量が適正状態に維持される。
【００３７】
◎第二実施形態
図７は、この発明に係る排水用暗渠形成装置の第二実施形態における木チップ充填量調整部を示す側面図である。
【００３８】
第二実施形態は、第一実施形態の層調整板７０に代えて鎮圧ローラ８０によって木チップ充填量調整部を構成した場合である。すなわち、木チップ充填量調整部を、補助ホッパ３０の後端部に突設される取付ブラケット８１にヒンジピン８２をもって垂直方向に回動（揺動）可能に装着される支持ブラケット８３と、この支持ブラケット８３に枢支軸８４を介して回転自在に枢着される偏平状すなわち木チップ供給溝４ｂの幅より小さい厚みの鎮圧ローラ８０とで構成した場合である。なお、この場合、取付ブラケット８１におけるヒンジピン８２の同心円上に適宜間隔をおいて複数（図面では３個の場合を示す。）の取付孔８５ａ，８５ｂ，８５ｃが穿設されており、これら取付孔８５ａ，８５ｂ，８５ｃの任意と支持ブラケット８３に設けられた取付孔（図示せず）とを合致させると共に、連結ピン８６を嵌挿させることにより、鎮圧ローラ８０の高さつまり木チップＴの充填層の厚さが調整できるようになっている。
【００３９】
なお、第二実施形態において、その他の部分は第一実施形態と同じであるので、同一部分には同一符号を付して説明は省略する。
【００４０】
第二実施形態における排水用暗渠成型装置によれば、作業車２を走行させると、暗渠穿孔体４２によって排水用暗渠孔４ａが掘削されると共に、土切りシャンク４１によって排水用暗渠孔４ａに連なる木チップ供給溝４ｂが掘削される。そして、補助ホッパ３０内に集約されている木チップＴが排出口３３から排水用暗渠すなわち木チップ供給溝４ｂ及び排水用暗渠孔４ａ内に供給（充填）され、走行方向の後方に位置する鎮圧ローラ８０によって木チップＴの充填層の厚さが一定に調整される。
【００４１】
◎その他の実施形態
（１）上記実施形態では、調節部５０が、コンベア上面（無端ベルト２３の上面）との間に木チップＴの通過隙間Ｓを形成する略Ｖ字状に折曲する排出量調節部材５１と、排出量調節部材５１を通過した木チップＴを下方の補助ホッパ３０側へ案内する屈曲垂下案内片５２とを具備する場合について説明したが、必ずしも屈曲垂下案内片５２を設ける必要はなく、調節部５０を、排出量調節部材５１のみで構成してもよい。
【００４２】
（２）上記実施形態では、疎水材が木チップである場合について説明したが、木チップに代えて貝殻等の疎水材を同様に、ホッパ１０から排出して補助ホッパ３０に集約させて、排水用暗渠４内に充填するようにしてもよい。
【００４３】
（３）上記実施形態では、排水用暗渠４内に疎水材（木チップ、貝殻等）を充填する場合について説明したが、掘削具４０に突設された吸水管取付部４３に吸水管を取り付けて排水用暗渠４内に吸水管を敷設すると共に、疎水材（木チップ、貝殻等）を充填させるようにしてもよい。
【００４４】
【発明の効果】
以上に詳述したように、この発明によれば、上記のように構成されているので、以下のような優れた効果が得られる。
【００４５】
（１）請求項１記載の発明によれば、ホッパ内に収容された疎水材をコンベアによって排出して補助ホッパに集約する過程において、調節部によりコンベアによって搬送される疎水材の過度の排出量を抑制すなわち排出量を調節して、補助ホッパ内に集約して搬送することができ、補助ホッパから疎水材供給溝及び排水用暗渠孔内に連続して疎水材を供給することができる。したがって、排水用暗渠内に疎水材を均一に充填することができる。
【００４６】
（２）請求項２記載の発明によれば、補助ホッパ内の疎水材が密に接し合うブリッジ現象を確実に防止することができるので、上記（１）に加えて更に排水用暗渠内への疎水材の充填を確実にすることができる。
【００４７】
（３）請求項３記載の発明によれば、コンベアにて排出される疎水材の排出量を排出量調節部材により調節することができるので、上記（１），（２）に加えて更に排水用暗渠内への疎水材の充填を迅速かつ均一にすることができる。この場合、調節部に、コンベアの排出部に設けられ、排出量調節部材を通過した疎水材を下方の補助ホッパ側へ案内する屈曲垂下案内片を更に具備することにより、屈曲垂下案内片により排出流を整流して補助ホッパに集約させることができるので、更に排水用暗渠内への疎水材の充填を迅速かつ均一にすることができる（請求項４）。
【００４８】
（４）請求項５記載の発明によれば、補助ホッパ内に集約される疎水材の量に応じてコンベアの駆動を制御することができるので、上記（１）〜（３）に加えて更に補助ホッパ内の疎水材の集約量を適正な状態に維持することができる。
【図面の簡単な説明】
【図１】この発明に係る排水用暗渠形成装置の第一実施形態を一部断面で示す概略側面図である。
【図２】上記排水用暗渠成型装置の概略平面図である。
【図３】上記排水用暗渠成型装置の概略背面図（ａ）及び排水用暗渠を示す拡大断面図（ｂ）である。
【図４】この発明における調節部を示す側面図である。
【図５】この発明における補助ホッパと掘削具を一部断面で示す側面図である。
【図６】上記補助ホッパの断面図である。
【図７】この発明における層調整部の別の実施形態を示す側面図である。
【符号の説明】
２  暗渠形成作業車（走行機体）
４  排水用暗渠
４ａ  排水用暗渠孔
４ｂ  チップ供給溝（疎水材供給溝）
１０  ホッパ
２０  コンベア
２６  駆動モータ
３０  補助ホッパ
４０  掘削具
４１  土切りシャンク
４２  暗渠穿孔体
５０  調節部
５１  排出量調節部材
５２  屈曲垂下案内片
６０  パドル
９０  センサ（チップ量検知手段）
１００  コントローラ
Ｈ  圃場
Ｔ  木チップ（疎水材）
Ｓ  通過隙間
【図１】
2004244803.tif 000003
【図２】
2004244803.tif 000004
【図３】
2004244803.tif 000005
【図４】
2004244803.tif 000006
【図５】
2004244803.tif 000007
【図６】
2004244803.tif 000008
【図７】
2004244803.tif 000009